【手続補正書】
【提出日】平成30年6月6日(2018.6.6)
【手続補正１】
【補正対象書類名】特許請求の範囲
【補正対象項目名】全文
【補正方法】変更
【補正の内容】
【特許請求の範囲】
【請求項１】
ユーザデバイスで用いられる方法であって、
サーバからのダウンロードのために番組から複数のエピソードを選択することと、
前記番組の前記選択された複数のエピソードのために十分な空間が記憶デバイス内にあるかどうかを判定することと、
前記判定することによって判定されるように前記番組の前記選択された複数のエピソードのために十分な空間が利用可能でない場合には、同じ番組の少なくとも１つのダウンロードされている消費されたエピソードを前記記憶デバイスから削除し、未だダウンロードされていない前記選択された複数のエピソードのうちの少なくとも１つのエピソードをダウンロードすることと
を有し、
前記記憶デバイスの記憶空間は、番組ごとに割り当てられ、前記十分な空間は、前記番組に割り当てられている記憶空間に基づき決定される、方法。
【請求項２】
前記番組の前記選択された複数のエピソードの全てがダウンロードされるまで、前記判定することによって判定されるように十分な空間が利用可能でない場合に前記削除しダウンロードすることを、必要であれば繰り返すこと
を更に有する請求項１に記載の方法。
【請求項３】
前記判定することによって判定されるように十分な空間が利用可能でない場合に前記削除しダウンロードすることは、ユーザの介在なしで前記ユーザデバイスによって自動的に実行される、
請求項１に記載の方法。
【請求項４】
前記同じ番組の前記少なくとも１つのダウンロードされている消費されたエピソードを削除する前にユーザに通知すること
を更に有する請求項１に記載の方法。
【請求項５】
前記通知することは、
前記少なくとも１つのダウンロードされている消費されたエピソードを削除すべきかどうかの前記ユーザへのクエリを供給することと、
前記クエリに対するユーザ応答が肯定の返答である場合に、未だダウンロードされてない前記選択された複数のエピソードのうちの前記少なくとも１つのエピソードをダウンロードすることと
を更に有する、請求項４に記載の方法。
【請求項６】
前記クエリに対する前記ユーザ応答が否定の返答である場合に、未だダウンロードされていない前記選択された複数のエピソードのうちの前記少なくとも１つのエピソードのダウンロードをスキップすること
を更に有する請求項５に記載の方法。
【請求項７】
ユーザプロファイルに基づき、ダウンロードされるべき前記番組のエピソードの数を決定すること
を更に有する請求項１に記載の方法。
【請求項８】
前記ダウンロードされるべきエピソードの数は、前記番組の全てのエピソードがダウンロードのために利用可能であることを示す前記サーバからのメッセージに応答して決定される、
請求項７に記載の方法。
【請求項９】
前記番組の前記全てのエピソードは、前記番組のシーズンに対応する、
請求項８に記載の方法。
【請求項１０】
サーバからのダウンロードのために番組から複数のエピソードを選択するユーザ入力部と、
前記番組の前記選択された複数のエピソードのために十分な空間が記憶デバイス内にあるかどうかを判定するよう構成されるプロセッサと
を有し、
十分な空間がない場合には、前記プロセッサは、同じ番組の少なくとも１つのダウンロードされている消費されたエピソードを前記記憶デバイスから削除し、未だダウンロードされていない前記選択された複数のエピソードのうちの少なくとも１つのエピソードをダウンロードするよう構成され、
前記記憶デバイスの記憶空間は、番組ごとに割り当てられ、前記十分な空間は、前記番組に割り当てられている記憶空間に基づき決定される、
装置。
【請求項１１】
必要であれば、前記プロセッサは、前記番組の前記選択された複数のエピソードの全てがダウンロードされるまで、前記同じ番組の他のダウンロードされている消費されたエピソードを削除し、未だダウンロードされていない前記選択された複数のエピソードのうちの他のエピソードをダウンロードするよう更に構成される、
請求項１０に記載の装置。
【請求項１２】
前記プロセッサは、前記同じ番組の前記少なくとも１つのダウンロードされている消費されたエピソードを削除する前に通知をユーザに供給するよう更に構成される、
請求項１０に記載の装置。
【請求項１３】
前記プロセッサは、前記少なくとも１つのダウンロードされている消費されたエピソードを削除すべきかどうかの前記ユーザへのクエリを供給し、該クエリに対するユーザ応答が肯定の返答である場合に、未だダウンロードされてない前記選択された複数のエピソードのうちの前記少なくとも１つのエピソードをダウンロードするよう更に構成される、
請求項１２に記載の装置。
【請求項１４】
前記プロセッサは、前記クエリに対する前記ユーザ応答が否定の返答である場合に、未だダウンロードされていない前記選択された複数のエピソードのうちの前記少なくとも１つのエピソードのダウンロードをスキップするよう構成される、
請求項１３に記載の装置。
【請求項１５】
前記プロセッサは、ユーザプロファイルに基づき、ダウンロードされるべき前記番組のエピソードの数を決定するよう更に構成される、
請求項１０に記載の装置。
【請求項１６】
前記ダウンロードされるべきエピソードの数は、前記番組の全てのエピソードがダウンロードのために利用可能であることを示す前記サーバからのメッセージに応答して決定される、
請求項１５に記載の装置。
【請求項１７】
前記番組の前記全てのエピソードは、前記番組のシーズンに対応する、
請求項１６に記載の装置。
【請求項１８】
番組のエピソードをユーザデバイスにダウンロードするためにウェブサイト上で用いられる方法であって、
前記ユーザデバイスからのユーザ要求に応答して、ダウンロードされる番組の複数のエピソードを決定することと、
前記番組の前記決定された複数のエピソードのために十分な空間が記憶デバイス内にあるかどうかを判定することと、
前記判定することによって判定されるように前記番組の前記決定された複数のエピソードのために十分な空間が利用可能でない場合には、同じ番組の少なくとも１つのダウンロードされている消費されたエピソードを削除するよう前記ユーザデバイスに指示し、未だダウンロードされていない前記決定された複数のエピソードのうちの少なくとも１つのエピソードをダウンロードすることと
を有し、
前記記憶デバイスの記憶空間は、番組ごとに割り当てられ、前記十分な空間は、前記番組に割り当てられている記憶空間に基づき決定される、方法。
【請求項１９】
コンピュータで実行される場合に、該コンピュータに、請求項１乃至９のうちいずれか一項に記載の方法を実行させるコンピュータプログラム。
【手続補正２】
【補正対象書類名】明細書
【補正対象項目名】００５５
【補正方法】変更
【補正の内容】
【００５５】
いくつかの実施形態が本願において記載及び例証されてきたが、当業者であれば、本願で記載されている機能の実施並びに／又は結果及び／若しくは１つ以上の利点の取得のための様々な他の手段及び／又は構造に容易に想到可能である。そのような変形及び／又は変更の夫々は、本実施形態の適用範囲内にあると見なされる。より一般的には、当業者であれば明らかなように、本願で記載される全てのコンポーネント、パラメータ、寸法、材料、及び構成は、例であるように意図され、実際のコンポーネント、パラメータ、寸法、材料、及び／又は構成は、本願での教示が使用される１つ以上の具体的な用途に依存する。当業者であれば、ただのルーチンに過ぎない経験により、本願で記載される具体的な実施形態に対する多くの同等物を認識し、あるいは、確かめることができるだろう。従って、前述の実施形態は、単なる一例として提示されており、添付の特許請求の範囲及びその均等の適用範囲内で、開示されている実施形態は、具体的に記載及び請求されている以外にも実施され得ることが理解されるべきである。本実施形態は、本願で記載される夫々の個別的な特徴、システム、物、素材及び／又は方法を対象とする。その上、そのような特徴、システム、物、素材及び／又は方法の２つ以上の如何なる組み合わせも、そのような特徴、システム、物、素材及び／又は方法が相互に矛盾しない場合に、本実施形態に適用範囲内に含まれる。  
上記の実施形態に加えて、以下の付記を開示する。
（付記１）
ユーザデバイスで用いられる方法であって、
サーバからのダウンロードのために番組の複数のエピソードを選択すること（６１０）と、
前記番組の前記選択された複数のエピソードのために十分な空間が記憶デバイス内にあるかどうかを判定すること（６２０）と、
前記判定することによって判定されるように十分な空間がある場合には、前記番組の前記選択された複数のエピソードをダウンロードすること（６３０）と、
前記判定することによって判定されるように前記番組の前記選択された複数のエピソードのために十分な空間が利用可能でない場合には、同じ番組の少なくとも１つのダウンロードされている視聴済みエピソードを前記記憶デバイスから削除し（６５０）、未だダウンロードされていない前記選択された複数のエピソードのうちの少なくとも１つのエピソードをダウンロードして、前記同じ番組の前記削除された少なくとも１つのダウンロードされている視聴済みエピソードによって明け渡された空間を満たす（６５０）ことと
を有する方法。
（付記２）
前記記憶デバイスの記憶空間は、番組ごとに割り当てられ、前記十分な空間は、前記番組に割り当てられている記憶空間に基づき決定される（６２５）、
付記１に記載の方法。
（付記３）
前記番組の前記選択された複数のエピソードの全てがダウンロードされるまで、前記判定することによって判定されるように十分な空間が利用可能でない場合に前記削除しダウンロードすることを、必要であれば繰り返すこと（６５０，６６０）
を更に有する付記２に記載の方法。
（付記４）
前記判定することによって判定されるように十分な空間が利用可能でない場合に前記削除しダウンロードすることは、ユーザの介在なしで前記ユーザデバイスによって自動的に実行される、
付記１に記載の方法。
（付記５）
前記同じ番組の前記少なくとも１つのダウンロードされている視聴済みエピソードを削除する前にユーザに通知すること（４５０）
を更に有する付記１に記載の方法。
（付記６）
前記通知することは、
前記少なくとも１つのダウンロードされている視聴済みエピソードを削除すべきかどうかの前記ユーザへのクエリを供給すること（４５０）と、
前記クエリに対するユーザ応答が肯定の返答である場合に、未だダウンロードされてない前記選択された複数のエピソードのうちの前記少なくとも１つのエピソードをダウンロードすることと
を更に有する、付記５に記載の方法。
（付記７）
前記クエリに対する前記ユーザ応答が否定の返答である場合に、未だダウンロードされていない前記選択された複数のエピソードのうちの前記少なくとも１つのエピソードのダウンロードをスキップすること
を更に有する付記６に記載の方法。
（付記８）
ユーザプロファイルに基づき、ダウンロードされるべき前記番組のエピソードの数を決定すること（１４０）
を更に有する付記１に記載の方法。
（付記９）
前記ダウンロードされるべきエピソードの数は、前記番組の全てのエピソードがダウンロードのために利用可能であることを示す前記サーバからのメッセージに応答して決定される（１１０）、
付記８に記載の方法。
（付記１０）
前記番組の前記全てのエピソードは、前記番組のシーズンに対応する、
付記９に記載の方法。
（付記１１）
サーバからのダウンロードのために番組の複数のエピソードを選択するユーザ入力部（２８０）と、
前記番組の前記選択された複数のエピソードのために十分な空間が記憶デバイス内にあるかどうかを判定するよう構成されるプロセッサ（２６５）と
を有し、
前記プロセッサ（２６５）は、十分な空間がある場合には、前記番組の前記選択された複数のエピソードをダウンロードするよう構成され、
十分な空間がない場合には、前記プロセッサ（２６５）は、同じ番組の少なくとも１つのダウンロードされている視聴済みエピソードを前記記憶デバイスから削除し、未だダウンロードされていない前記選択された複数のエピソードのうちの少なくとも１つのエピソードをダウンロードして、前記同じ番組の前記削除された少なくとも１つのダウンロードされている視聴済みエピソードによって明け渡された空間を満たすよう構成される、
装置。
（付記１２）
前記記憶デバイス（２８５）の記憶空間は、番組ごとに割り当てられ、前記十分な空間は、前記番組に割り当てられている記憶空間に基づき決定される、
付記１１に記載の装置。
（付記１３）
必要であれば、前記プロセッサは、前記番組の前記選択された複数のエピソードの全てがダウンロードされるまで、前記同じ番組の他のダウンロードされている視聴済みエピソードを削除し、未だダウンロードされていない前記選択された複数のエピソードのうちの他のエピソードをダウンロードして、前記同じ番組の前記削除された他のダウンロードされている視聴済みエピソードによって明け渡された空間を満たすよう更に構成される、
付記１２に記載の装置。
（付記１４）
前記プロセッサは、前記同じ番組の前記少なくとも１つのダウンロードされている視聴済みエピソードを削除する前に通知（４５０）をユーザに供給するよう更に構成される、
付記１１に記載の装置。
（付記１５）
前記プロセッサは、前記少なくとも１つのダウンロードされている視聴済みエピソードを削除すべきかどうかの前記ユーザへのクエリ（４５０）を供給し、該クエリに対するユーザ応答が肯定の返答である場合に、未だダウンロードされてない前記選択された複数のエピソードのうちの前記少なくとも１つのエピソードをダウンロードするよう更に構成される、
付記１４に記載の装置。
（付記１６）
前記プロセッサは、前記クエリに対する前記ユーザ応答が否定の返答である場合に、未だダウンロードされていない前記選択された複数のエピソードのうちの前記少なくとも１つのエピソードのダウンロードをスキップするよう構成される、
付記１５に記載の装置。
（付記１７）
前記プロセッサは、ユーザプロファイルに基づき、ダウンロードされるべき前記番組のエピソードの数を決定するよう更に構成される、
付記１１に記載の装置。
（付記１８）
前記ダウンロードされるべきエピソードの数は、前記番組の全てのエピソードがダウンロードのために利用可能であることを示す前記サーバからのメッセージに応答して決定される、
付記１７に記載の装置。
（付記１９）
前記番組の前記全てのエピソードは、前記番組のシーズンに対応する、
付記１８に記載の装置。
（付記２０）
番組のエピソードをユーザデバイスにダウンロードするためにウェブサイト上で用いられる方法であって、
前記ユーザデバイスからのユーザ要求に応答して、ダウンロードされる番組の複数のエピソードを決定すること（７１０）と、
前記番組の前記決定された複数のエピソードのために十分な空間が記憶デバイス内にあるかどうかを判定すること（７２０）と、
前記判定することによって判定されるように十分な空間がある場合には、前記番組の前記決定された複数のエピソードを前記ユーザデバイスにダウンロードすること（７３０）と、
前記判定することによって判定されるように前記番組の前記決定された複数のエピソードのために十分な空間が利用可能でない場合には、同じ番組の少なくとも１つのダウンロードされている視聴済みエピソードを削除するよう前記ユーザデバイスに指示し（７５０）、未だダウンロードされていない前記決定された複数のエピソードのうちの少なくとも１つのエピソードをダウンロードして、前記同じ番組の前記削除された少なくとも１つのダウンロードされている視聴済みエピソードによって明け渡された空間を満たすことと
を有する方法。
（付記２１）
サーバからのダウンロードのために番組の複数のエピソードを選択し（６１０）、
前記番組の前記選択された複数のエピソードのために十分な空間が記憶デバイス内にあるかどうかを判定し（６２０）、
前記判定することによって判定されるように十分な空間がある場合には、前記番組の前記選択された複数のエピソードをダウンロードし（６３０）、
前記判定することによって判定されるように前記番組の前記選択された複数のエピソードのために十分な空間が利用可能でない場合には、同じ番組の少なくとも１つのダウンロードされている視聴済みエピソードを前記記憶デバイスから削除し（６５０）、未だダウンロードされていない前記選択された複数のエピソードのうちの少なくとも１つのエピソードをダウンロードして、前記同じ番組の前記削除された少なくとも１つのダウンロードされている視聴済みエピソードによって明け渡された空間を満たす（６５０）
コンピュータ実行可能命令を有する非一時的なコンピュータ可読記憶媒体において記憶されているコンピュータプログラム製品。